(57)【要約】【課題】部品の取り付け、取り外しを行うことなく、簡単、かつ、素早く組み立て、または収納することができる組み立て式簡易ベッドユニットを提供する。【解決手段】組み立て式簡易ベッドユニット１００は、組み立て式簡易ベッドユニットの側方４面を連続して形成する側面板部１１０と、側面板部の上端と揺動自在に連続して設けられた上面板部１２０と、側面板部の内側に配置されるとともに側面板部の内側と少なくとも一部が接続された交差構造部１３０とを備え、交差構造部が、第１所定方向に延設されて互いに平行な複数の第１板部分１３１と、第１所定方向と交差する第２所定方向に延設されて互いに平行な複数の第２板部分１３２とを有し、第１板部分および第２板部分のうちの少なくとも一方が、簡易ベッドユニットの天地方向に延設されたスリットを有し、第１板部分および第２板部分が、スリットにおいて互いに揺動自在に係合している。【選択図】図３
0003232115.tif 000002
【実用新案登録請求の範囲】
【請求項１】
板材によって形成される組み立て式簡易ベッドユニットであって、
前記板材が、樹脂製の３層以上の複層構造を有し、複層構造のうちの両外側の層が平坦層であり、内部中間の層が板材延設面における面内所定方向に長尺な中空構造を形成するリブ形状層であり、
前記板材によって形成されて組み立て式簡易ベッドユニットの側方４面を連続して形成する側面板部と、
前記板材によって形成されて側面板部の上端と揺動自在に連続して設けられた上面板部と、
前記板材によって形成されて側面板部の内側に配置されるとともに側面板部の内側と少なくとも一部が接続された交差構造部とを備え、
前記交差構造部が、組み立て状態において組み立て式簡易ベッドユニットの天地方向を含む第１所定方向に延設されて互いに平行な複数の第１板部分と、組み立て状態において組み立て式簡易ベッドユニットの天地方向を含むとともに第１所定方向と交差する第２所定方向に延設されて互いに平行な複数の第２板部分とを有し、
前記第１板部分および第２板部分のうちの少なくとも一方が、組み立て式簡易ベッドユニットの天地方向に延設されたスリットを有し、
前記第１板部分および第２板部分が、前記スリットにおいて互いに揺動自在に係合した構成であることを特徴とする組み立て式簡易ベッドユニット。
【請求項２】
前記上面板部が、組み立て式簡易ベッドユニットの長手方向に対する幅方向において分割された一対の両開き式であり、
前記上面板部の上面を構成する基端から自由端までの長さが、組み立て式簡易ベッドユニットの高さとなる側面板部における天地方向の長さ以下に構成されていることを特徴とする請求項１に記載の組み立て式簡易ベッドユニット。
【請求項３】
前記上面板部が、前記側面板部と接続する縁において上面板部の面延設方向に対して傾斜した第１傾斜部分を有し、
前記側面板部が、前記上面板部と接続する縁において側面板部の面延設方向に対して傾斜した第２傾斜部分を有し、
前記上面板部における第１傾斜部分の肉薄側と、側面板部における第２傾斜部分の肉薄側とが連結され、
組み立て式簡易ベッドユニットの組み立て状態において、前記上面板部の第１傾斜部分が、前記側面板部の第２傾斜部分と面接触し、
組み立て式簡易ベッドユニットが折り畳まれるとき、前記上面板部が側面板部に対して揺動して、前記上面板部の第１傾斜部分が、前記側面板部の第２傾斜部分から離間移動する構成であることを特徴とする請求項１または請求項２に記載の組み立て式簡易ベッドユニット。
【考案の詳細な説明】
【技術分野】
【０００１】
本考案は、板材によって形成される組み立て式簡易ベッドユニットに関する。
【背景技術】
【０００２】
従来、中空構造をなすための立体加工が施されたコア材の表裏両面に平板状の外装材を積層してなる合成樹脂製の中空板材からなり、中空板材から切り出されて矩形状に切り揃えられた複数の横枠構成片と縦枠構成片とを、それぞれに形成されたスリットを咬み合わせて格子状に配置することによって組み立てられた基台の上に、中空板材を切り出してなる天板を載置することによって組み立てられる簡易ベッドが知られている（例えば、特許文献１参照）。
【先行技術文献】
【特許文献】
【０００３】
【特許文献１】特開２０１２−２３５８１９号公報
【考案の概要】
【考案が解決しようとする課題】
【０００４】
しかしながら、上述した従来の簡易ベッドは、一体構造ではなく、収納する際に各部材を分解し、組み立てる際に各部材を組み合わせる構造であったため、簡単、かつ、素早く組み立てることが困難であるという問題があった。
【０００５】
そこで、本考案は、前述したような従来技術の問題を解決するものであって、すなわち、本考案の目的は、部品の取り付け、取り外しを行うことなく、簡単、かつ、素早く組み立て、または収納することができる組み立て式簡易ベッドユニットを提供することである。
【課題を解決するための手段】
【０００６】
本請求項１に係る考案は、板材によって形成される組み立て式簡易ベッドユニットであって、前記板材が、樹脂製の３層以上の複層構造を有し、複層構造のうちの両外側の層が平坦層であり、内部中間の層が板材延設面における面内所定方向に長尺な中空構造を形成するリブ形状層であり、前記板材によって形成されて組み立て式簡易ベッドユニットの側方４面を連続して形成する側面板部と、前記板材によって形成されて側面板部の上端と揺動自在に連続して設けられた上面板部と、前記板材によって形成されて側面板部の内側に配置されるとともに側面板部の内側と少なくとも一部が接続された交差構造部とを備え、前記交差構造部が、組み立て状態において組み立て式簡易ベッドユニットの天地方向を含む第１所定方向に延設されて互いに平行な複数の第１板部分と、組み立て状態において組み立て式簡易ベッドユニットの天地方向を含むとともに第１所定方向と交差する第２所定方向に延設されて互いに平行な複数の第２板部分とを有し、前記第１板部分および第２板部分のうちの少なくとも一方が、組み立て式簡易ベッドユニットの天地方向に延設されたスリットを有し、前記第１板部分および第２板部分が、前記スリットにおいて互いに揺動自在に係合した構成であることにより、前述した課題を解決するものである。
【０００７】
本請求項２に係る考案は、請求項１に記載された組み立て式簡易ベッドユニットの構成に加えて、前記上面板部が、組み立て式簡易ベッドユニットの長手方向に対する幅方向において分割された一対の両開き式であり、前記上面板部の上面を構成する基端から自由端までの長さが、組み立て式簡易ベッドユニットの高さとなる側面板部における天地方向の長さ以下に構成されていることにより、前述した課題をさらに解決するものである。
【０００８】
本請求項３に係る考案は、請求項１または請求項２に記載された組み立て式簡易ベッドユニットの構成に加えて、前記上面板部が、前記側面板部と接続する縁において上面板部の面延設方向に対して傾斜した第１傾斜部分を有し、前記側面板部が、前記上面板部と接続する縁において側面板部の面延設方向に対して傾斜した第２傾斜部分を有し、前記上面板部における第１傾斜部分の肉薄側と、側面板部における第２傾斜部分の肉薄側とが連結され、組み立て式簡易ベッドユニットの組み立て状態において、前記上面板部の第１傾斜部分が、前記側面板部の第２傾斜部分と面接触し、組み立て式簡易ベッドユニットが折り畳まれるとき、前記上面板部が側面板部に対して揺動して、前記上面板部の第１傾斜部分が、前記側面板部の第２傾斜部分から離間移動する構成であることにより、前述した課題をさらに解決するものである。
【考案の効果】
【０００９】
本考案の組み立て式簡易ベッドユニットは、板材を備えていることにより、組み立てることができるばかりでなく、以下のような特有の効果を奏することができる。
【００１０】
本請求項１に係る考案の組み立て式簡易ベッドユニットによれば、樹脂製の組み立て式簡易ベッドユニットがワンピースの折り畳み式となるため、折り畳んで収納し、他方、使用するときは収納場所から取り出して簡単、かつ、素早く組み立てることができる。
つまり、部品の取り付け、取り外しを行うことなく、そのままのワンピースで折り畳むことができ、他方、折り畳んだ状態から部品の取り付け、取り外しを行うことなく、そのままワンピースで立体的に起き上がらせて組み立てることができる。
さらに、組み立て式簡易ベッドユニットが樹脂製の板材から構成されるため、消毒液を使用して簡単に消毒することができる。
つまり、消毒液を使用しても板材にしみ込まないため、消毒液を使用しても傷まず、耐久性のよい組み立て式簡易ベッドユニットを提供することができる。
また、所謂、プラスチックダンボールとなり、強度や耐久性が確保されるため、組み立て式簡易ベッドユニットとしてユーザーの体重を確実に支えることができる。
特に、交差構造部が組み立て式簡易ベッドユニットの中央部分に位置して天地方向に延設した状態で交差しているため、お組み立て式簡易ベッドユニットの中央部分においてユーザーの体重をしっかりと支えることができる。
【００１１】
本請求項２に係る考案の組み立て式簡易ベッドユニットによれば、請求項１に係る考案が奏する効果に加えて、折り畳んだときの短手方向の長さが側面板部の天地方向の長さ（幅）となるため、折り畳んだときの縦横の長さの少なくとも一方の長さを短くすることができ、収納スペースを選ばすに収納することができる。
【００１２】
本請求項３に係る考案の組み立て式簡易ベッドユニットによれば、請求項１または請求項２に係る考案が奏する効果に加えて、組み立て式簡易ベッドユニットの組み立て状態において側面板部の第２傾斜部分が上面板部の第１傾斜部分と面接触して支えるため、組み立て式簡易ベッドユニットの上面板部の縁近傍においてもユーザーの体重をしっかりと支えることができる。
つまり、組み立て式簡易ベッドユニットの上面板部の縁近傍にユーザーの体重がかかった場合であっても、側面板部の第２傾斜部分が上面板部の第１傾斜部分と面接触して支えるため、上面板部が殆ど沈まないようにすることができる。
【図面の簡単な説明】
【００１３】
【図１】本考案の実施例である組み立て式簡易ベッドユニットを用いた簡易ベッドの概略を示す斜視図。
【図２】（Ａ）（Ｂ）は本考案の実施例である組み立て式簡易ベッドユニットの上面板部を閉じた状態の平面図および上面板部を開けた状態の平面図。
【図３】（Ａ）（Ｂ）は本考案の実施例である組み立て式簡易ベッドユニットが折り畳まれる際の様子を示す平面図。
【図４】（Ａ）（Ｂ）は本考案の実施例である組み立て式簡易ベッドユニットが折り畳まれる際の様子を示す側方図。
【図５】（Ａ）（Ｂ）は本考案の実施例である組み立て式簡易ベッドユニットの上面板部を閉めた状態の上面板部における第１傾斜部分と側面板部における第２傾斜部分との関係を示す図および上面板部を開けた状態の上面板部における第１傾斜部分と側面板部における第２傾斜部分との関係を示す図。
【考案を実施するための形態】
【００１４】
本考案の組み立て式簡易ベッドユニットは、板材を有し、板材が、樹脂製の３層以上の複層構造を有し、複層構造のうちの両外側の層が平坦層であり、内部中間の層が板材延設面における面内所定方向に長尺な中空構造を形成するリブ形状層であり、板材によって形成されて組み立て式簡易ベッドユニットの側方４面を連続して形成する側面板部と、板材によって形成されて側面板部の上端と揺動自在に連続して設けられた上面板部と、板材によって形成されて側面板部の内側に配置されるとともに側面板部の内側と少なくとも一部が接続された交差構造部とを備え、交差構造部が、組み立て状態において組み立て式簡易ベッドユニットの天地方向を含む第１所定方向に延設されて互いに平行な複数の第１板部分と、組み立て状態において組み立て式簡易ベッドユニットの天地方向を含むとともに第１所定方向と交差する第２所定方向に延設されて互いに平行な複数の第２板部分とを有し、第１板部分および第２板部分のうちの少なくとも一方が、組み立て式簡易ベッドユニットの天地方向に延設されたスリットを有し、第１板部分および第２板部分が、スリットにおいて互いに揺動自在に係合した構成であることにより、部品の取り付け、取り外しを行うことなく、そのままのワンピースで折り畳むことができ、他方、折り畳んだ状態から部品の取り付け、取り外しを行うことなく、そのままワンピースで立体的に起き上がらせて組み立てることができ、さらに、消毒液を使用しても傷まず、耐久性のよい組み立て式簡易ベッドユニットを提供することができるものであれば、その具体的な実施態様は、如何なるものであっても構わない。
【００１５】
例えば、板材の素材は、プラスチックなどの樹脂であれば、如何なるものでもよい。
また、板材の構造は、所謂、ダンボールのような所定方向に長尺な中空構造を有する複層構造であれば、如何なるものでもよい。
【実施例】
【００１６】
以下に、本考案の実施例である組み立て式簡易ベッドユニット１００について、図１乃至図５（Ｂ）に基づいて説明する。
ここで、図１は、本考案の実施例である組み立て式簡易ベッドユニット１００を用いた簡易ベッドの概略を示す斜視図であり、図２（Ａ）は、本考案の実施例である組み立て式簡易ベッドユニット１００の上面板部１２０を閉じた状態の平面図であり、図２（Ｂ）は、本考案の実施例である組み立て式簡易ベッドユニット１００の上面板部１２０を開けた状態の平面図であり、図３（Ａ）は、本考案の実施例である組み立て式簡易ベッドユニット１００が折り畳まれる際の様子を示す平面図であり、図３（Ｂ）は、図３（Ａ）の状態からさらに交差構造部１３０を変形させた様子を示す平面図であり、図４（Ａ）は、図３（Ｂ）の状態からさらに交差構造部１３０を変形させて折り畳んだ際の様子を示す側方図であり、図４（Ｂ）は、図４（Ａ）に示す符号４Ｂから視た側方図であり、図５（Ａ）は、図２（Ａ）に示す符号５Ａ−５Ａで視た本考案の実施例である組み立て式簡易ベッドユニット１００の上面板部１２０を閉めた状態の上面板部１２０における第１傾斜部分１２１と側面板部１１０における第２傾斜部分１１１との関係を示す原理図であり、図５（Ｂ）は、本考案の実施例である組み立て式簡易ベッドユニット１００の上面板部１２０を開けた状態の上面板部１２０における第１傾斜部分１２１と側面板部１１０における第２傾斜部分１１１との関係を示す図である。
なお、本考案の組み立て式簡易ベッドユニット１００の板材は、３層以上の複層構造を有し、内部中間の層が板材延設面における面内所定方向に長尺な中空構造を有しているが、図５（Ａ）および図５（Ｂ）において、各部位の位置関係についての理解をわかりやすくするために中空構造の図示を省略する。
【００１７】
本考案の実施例である組み立て式簡易ベッドユニット１００を用いた簡易ベッドは、図１に示すように、一例として、ユーザーの体格に合わせて３つの組み立て式簡易ベッドユニット１００を連続して並べることにより構成されている。
組み立て式簡易ベッドユニット１００について説明する。
図２（Ａ）および図２（Ｂ）に示すように、組み立て式簡易ベッドユニット１００は、板材によって形成されている。
【００１８】
この板材は、樹脂製の３層以上の複層構造を有し、複層構造のうちの両外側の層が平坦層であり、内部中間の層が板材延設面における面内所定方向に長尺な中空構造を形成するリブ形状層であり、所謂、プラスチックダンボールの略称であるプラダンと呼ばれる。
本実施例では、側面板部１１０、交差構造部１３０についての板材の面内所定方向は、一例として天地方向Ｖである。
上面板部１２０についての板材の面内所定方向は、一例として組み立て式簡易ベッドユニット１００の短手方向（図２（Ａ）における左右方向）である。
【００１９】
そして、組み立て式簡易ベッドユニット１００は、側面板部１１０と、上面板部１２０と、交差構造部１３０とを備えている。
このうち、側面板部１１０は、板材によって形成されて組み立て式簡易ベッドユニット１００の側方４面を連続して形成している。
また、上面板部１２０は、板材によって形成されて側面板部１１０の上端と揺動自在に連続して設けられている。
ここで、組み立て式簡易ベッドユニット１００が組み立てられた状態では、上面板部１２０は、交差構造部１３０の上方に位置し、交差構造部１３０の上側と接触した状態、または、交差構造部１３０の上側との間で僅かに隙間を空けた状態となる。
さらに、交差構造部１３０は、板材によって形成されて側面板部１１０の内側に配置されるとともに側面板部１１０の内側と少なくとも一部が接続されている。
【００２０】
より具体的に、交差構造部１３０は、複数の第１板部分１３１と、複数の第２板部分１３２とを有している。
このうち、複数の第１板部分１３１は、組み立て状態において組み立て式簡易ベッドユニット１００の天地方向Ｖを含む第１所定方向Ｄ１に延設されて互いに平行に設けられている。
また、複数の第２板部分１３２は、組み立て状態において組み立て式簡易ベッドユニット１００の天地方向Ｖを含むとともに第１所定方向Ｄ１と交差する第２所定方向Ｄ２に延設されて互いに平行に設けられている。
【００２１】
さらに、第１板部分１３１および第２板部分１３２のうちの少なくとも一方が、組み立て式簡易ベッドユニット１００の天地方向Ｖに延設されたスリットを有している（図５（Ａ）および図５（Ｂ）参照）。
本実施例では、一例として、第１板部分１３１が、組み立て式簡易ベッドユニット１００の天地方向Ｖに延設されたスリット１３１ａを有し、これと同様に、第２板部分１３２が、組み立て式簡易ベッドユニット１００の天地方向Ｖに延設されたスリット１３２ａを有している（図５（Ａ）および図５（Ｂ）参照）。
そして、第１板部分１３１および第２板部分１３２が、スリット１３１ａ、１３２ａにおいて互いに揺動自在に係合するように構成されている。
【００２２】
なお、本実施例では、一例として、交差構造部１３０の複数の第１板部分１３１における平面視の両端が、側面板部１１０の内側と接続されている。
複数の第２板部分１３２における平面視の両端は、側面板部１１０の内側と接続されていてもよいし、接続されていなくてもよい。
【００２３】
これにより、図３（Ａ）〜図４（Ｂ）に示すように、樹脂製の組み立て式簡易ベッドユニット１００がワンピースの折り畳み式となる。
より具体的には、図３（Ａ）および図３（Ｂ）に示すように、上面板部１２０を開けた状態にして、側面板部１１０を平面視平行四辺形になるように、図示した矢印の方向に力を加えると、交差構造部１３０も変形する。
そして、図４（Ａ）および図４（Ｂ）に示すように、上面板部１２０を側面板部１１０に沿わせると、折り畳んだ状態となる。
他方、組み立てるときは、この逆の手順で組み立てればよい。その詳しい説明を省略する。
【００２４】
その結果、折り畳んで収納し、他方、使用するときは収納場所から取り出して簡単、かつ、素早く組み立てることができる。
つまり、部品の取り付け、取り外しを行うことなく、そのままのワンピースで折り畳むことができ、他方、折り畳んだ状態から部品の取り付け、取り外しを行うことなく、そのままワンピースで立体的に起き上がらせて組み立てることができる。
【００２５】
さらに、組み立て式簡易ベッドユニット１００が樹脂製の板材から構成される。
その結果、消毒液を使用して簡単に消毒することができる。
つまり、消毒液を使用しても板材にしみ込まない。
その結果、消毒液を使用しても傷まず、耐久性のよい組み立て式簡易ベッドユニット１００を提供することができる。
【００２６】
また、所謂、プラスチックダンボールとなり、強度や耐久性が確保される。
その結果、組み立て式簡易ベッドユニット１００としてユーザーの体重を確実に支えることができる。
特に、交差構造部１３０が組み立て式簡易ベッドユニット１００の中央部分に位置して天地方向Ｖに延設した状態で交差している。
その結果、組み立て式簡易ベッドユニット１００の中央部分においてユーザーの体重をしっかりと支えることができる。
【００２７】
なお、交差構造部１３０は、複数の第１板部分１３１および複数の第２板部分１３２によって平面視四角形を形成するが、これに限らない。
例えば、複数の第１板部分１３１、複数の第２板部分１３２および複数の第３板部分によって平面視六角形を形成する所謂、ハニカム構造でもよい。
【００２８】
また、上面板部１２０の自由端側には舌片１２２が設けられている。
組み立てる際、舌片１２２が、交差構造部１３０の第１板部分１３１の中央スリット１３１ｂに嵌まるように構成されている。
これにより、舌片１２２がない構成と比べて、その近傍の強度が増す。
その結果、組み立て式簡易ベッドユニット１００の上面中央付近に作用するユーザーの体重を十分に支えることができる。
【００２９】
さらに、本実施例では、図２（Ａ）および図２（Ｂ）に示すように、上面板部１２０が、組み立て式簡易ベッドユニット１００の長手方向ＬＤに対する幅方向ＷＤにおいて分割された一対の両開き式である。
そして、図１および図４（Ｂ）に示すように、上面板部１２０の上面を構成する基端から自由端までの長さＬ１が、組み立て式簡易ベッドユニット１００の高さとなる側面板部１１０における天地方向Ｖの長さＬ２以下に構成されている。
これにより、折り畳んだときの短手方向の長さが側面板部１１０の天地方向Ｖの長さＬ２（幅）となる。
その結果、折り畳んだときの縦横の長さの少なくとも一方の長さを短くすることができ、収納スペースを選ばすに収納することができる。
【００３０】
また、本実施例では、図５（Ａ）および図５（Ｂ）に示すように、上面板部１２０が、側面板部１１０と接続する縁において上面板部１２０の面延設方向に対して傾斜した第１傾斜部分１２１を有している。
これと同様に、側面板部１１０が、上面板部１２０と接続する縁において側面板部１１０の面延設方向に対して傾斜した第２傾斜部分１１１を有している。
そして、上面板部１２０における第１傾斜部分１２１の肉薄側と、側面板部１１０における第２傾斜部分１１１の肉薄側とが連結されている。
【００３１】
図５（Ａ）に示すように、組み立て式簡易ベッドユニット１００の組み立て状態において、上面板部１２０の第１傾斜部分１２１が、側面板部１１０の第２傾斜部分１１１と面接触する。
図５（Ｂ）に示すように、組み立て式簡易ベッドユニット１００が折り畳まれるとき、上面板部１２０が側面板部１１０に対して揺動して、上面板部１２０の第１傾斜部分１２１が、側面板部１１０の第２傾斜部分１１１から離間移動するように構成されている。
【００３２】
これにより、組み立て式簡易ベッドユニット１００の組み立て状態において側面板部１１０の第２傾斜部分１１１が上面板部１２０の第１傾斜部分１２１と面接触して支える。
その結果、組み立て式簡易ベッドユニット１００の上面板部１２０の縁近傍においてもユーザーの体重をしっかりと支えることができる。
つまり、組み立て式簡易ベッドユニット１００の上面板部１２０の縁近傍にユーザーの体重がかかった場合であっても、側面板部１１０の第２傾斜部分１１１が上面板部１２０の第１傾斜部分１２１と面接触して支える。
その結果、上面板部１２０が殆ど沈まないようにすることができる。
【００３３】
このようにして得られた本考案の実施例である組み立て式簡易ベッドユニット１００は、板材によって形成され、板材が、樹脂製の３層以上の複層構造を有し、複層構造のうちの両外側の層が平坦層であり、内部中間の層が板材延設面における面内所定方向に長尺な中空構造を形成するリブ形状層であり、板材によって形成されて組み立て式簡易ベッドユニット１００の側方４面を連続して形成する側面板部１１０と、板材によって形成されて側面板部１１０の上端と揺動自在に連続して設けられた上面板部１２０と、板材によって形成されて側面板部１１０の内側に配置されるとともに側面板部１１０の内側と少なくとも一部が接続された交差構造部１３０とを備え、交差構造部１３０が、組み立て状態において組み立て式簡易ベッドユニット１００の天地方向Ｖを含む第１所定方向Ｄ１に延設されて互いに平行な複数の第１板部分１３１と、組み立て状態において組み立て式簡易ベッドユニット１００の天地方向Ｖを含むとともに第１所定方向Ｄ１と交差する第２所定方向Ｄ２に延設されて互いに平行な複数の第２板部分１３２とを有し、第１板部分１３１および第２板部分１３２のうちの少なくとも一方が、組み立て式簡易ベッドユニット１００の天地方向Ｖに延設されたスリット１３１ａ、１３２ａを有し、第１板部分１３１および第２板部分１３２が、スリット１３１ａ、１３２ａにおいて互いに揺動自在に係合した構成であることにより、部品の取り付け、取り外しを行うことなく、そのままのワンピースで折り畳むことができ、他方、折り畳んだ状態から部品の取り付け、取り外しを行うことなく、そのままワンピースで立体的に起き上がらせて組み立てることができ、消毒液を使用しても傷まず、耐久性のよい組み立て式簡易ベッドユニット１００を提供することができ、強度や耐久性を確保してユーザーの体重を確実に支えることができる。
【００３４】
さらに、上面板部１２０が、組み立て式簡易ベッドユニット１００の長手方向ＬＤに対する幅方向ＷＤにおいて分割された一対の両開き式であり、上面板部１２０の上面を構成する基端から自由端までの長さＬ１が、組み立て式簡易ベッドユニット１００の高さとなる側面板部１１０における天地方向Ｖの長さＬ２以下に構成されていることにより、折り畳んだときの縦横の長さの少なくとも一方の長さを短くすることができ、収納スペースを選ばすに収納することができる。
【００３５】
また、上面板部１２０が、側面板部１１０と接続する縁において上面板部１２０の面延設方向に対して傾斜した第１傾斜部分１２１を有し、側面板部１１０が、上面板部１２０と接続する縁において側面板部１１０の面延設方向に対して傾斜した第２傾斜部分１１１を有し、上面板部１２０における第１傾斜部分１２１の肉薄側と、側面板部１１０における第２傾斜部分１１１の肉薄側とが連結され、組み立て式簡易ベッドユニット１００の組み立て状態において、上面板部１２０の第１傾斜部分１２１が、側面板部１１０の第２傾斜部分１１１と面接触し、組み立て式簡易ベッドユニット１００が折り畳まれるとき、上面板部１２０が側面板部１１０に対して揺動して、上面板部１２０の第１傾斜部分１２１が、側面板部１１０の第２傾斜部分１１１から離間移動する構成であることにより、組み立て式簡易ベッドユニット１００の上面板部１２０の縁近傍においてもユーザーの体重をしっかりと支えることができるなど、その効果は甚大である。
【符号の説明】
【００３６】
１００  ・・・  組み立て式簡易ベッドユニット
１１０  ・・・  側面板部
１１１  ・・・  第２傾斜部分
１２０  ・・・  上面板部
１２１  ・・・  第１傾斜部分
１２２  ・・・  舌片
１３０  ・・・  交差構造部
１３１  ・・・  第１板部分
１３１ａ・・・  （第１板部分の）スリット
１３１ｂ・・・  中央スリット
１３２  ・・・  第２板部分
１３２ａ・・・  （第２板部分の）スリット
Ｖ      ・・・  天地方向
Ｄ１    ・・・  第１所定方向
Ｄ２    ・・・  第２所定方向
ＬＤ    ・・・  （組み立て式簡易ベッドユニットの）長手方向
ＷＤ    ・・・  （長手方向に対する）幅方向
Ｌ１    ・・・  上面板部の上面を構成する基端から自由端までの長さ
Ｌ２    ・・・  側面板部における天地方向の長さ
【図１】
0003232115.tif 000003
【図２】
0003232115.tif 000004
【図３】
0003232115.tif 000005
【図４】
0003232115.tif 000006
【図５】
0003232115.tif 000007